(57)【要約】【課題】耕耘ロータリの耕耘軸とリヤカバーとの隙間に、ロータリカバーを貫通する上下調節自在な接地抵抗棒と耕深調節棒とを前後に配設してなる耕耘装置において、作業性に優れる簡易培土器を装着できるように構成する。【解決手段】ロータリカバー１５の幅方向の中央部後端に弾性部材からなる簡易培土器３１を取付ける一方、該簡易培土器３１の下部を、接地抵抗棒１７の後方に配設した耕深調節棒１８の下部に備える橇状の安定板１８ａの後端に取付け可能に構成した。【選択図】図２
2010200704.tif 000002
【特許請求の範囲】
【請求項１】
耕耘軸（６）に複数の耕耘爪（７）を取付けた耕耘ロータリ（８）と、該耕耘ロータリ（８）の上方を覆うロータリカバー（１５）と、該ロータリカバー（１５）の後端に上下揺動自在に支持したリヤカバー（１６）を備え、前記耕耘軸（６）とリヤカバー（１６）との隙間（Ｓ）に、ロータリカバー（１５）を貫通する上下調節自在な接地抵抗棒（１７）と耕深調節棒（１８）とを前後に配設してなる耕耘装置において、前記ロータリカバー（１５）の幅方向の中央部後端から耕深調節棒（１８）の下部に臨ませて弾性部材からなる簡易培土器（３１）を取付けたことを特徴とする耕耘装置。
【請求項２】
前記ロータリカバー（１５）の幅方向の中央部後端に簡易培土器（３１）の上部を取付ける一方、前記耕深調節棒（１８）の下部に備える橇状の安定板（１８ａ）の後端に簡易培土器（３１）の下部を取付け可能に構成した請求項１に記載の耕耘装置。
【発明の詳細な説明】
【技術分野】
【０００１】
本発明は、耕耘ロータリと、該耕耘ロータリの上方を覆うロータリカバーと、該ロータリカバーの後端に上下揺動自在に支持したリヤカバーを備えると共に、耕耘ロータリの耕耘軸とリヤカバーとの隙間に、ロータリカバーを貫通する上下調節自在な接地抵抗棒と耕深調節棒とを前後に配設してなる耕耘装置に関する。
【背景技術】
【０００２】
従来の耕耘装置では、耕耘ロータリの上方を覆うロータリカバーと、該ロータリカバーの後端に上下揺動自在に支持したリヤカバーを備え、耕耘ロータリの耕耘軸とリヤカバーとの隙間に、ロータリカバーを貫通する上下調節自在な接地抵抗棒を配設すると共に、ロータリカバーの中央部後端から接地抵抗棒の下部に臨ませて弾性及び可撓性を有するゴム板を装着することによって簡潔な培土器を構成し、以って耕耘ロータリによる耕耘と前記培土器による培土作業とを同時に行えるようにしたものが知られている（例えば、特許文献１参照）。
【先行技術文献】
【特許文献】
【０００３】
【特許文献１】特開平２００８−１６１１２２号公報（第４頁、図３、図６）
【発明の概要】
【発明が解決しようとする課題】
【０００４】
しかし、上述の如く耕耘装置に装着される簡潔な構成の培土器は、その上部をロータリカバーの中央部後端に装着する一方、その下部を耕耘ロータリの耕耘軸の後方近傍に垂下する接地抵抗棒の下部に装着してあり、特に接地抵抗棒を下げて高畝を形成しようとする場合は、弾性及び可撓性を有するゴム板からなる培土器が側面視で耕耘ロータリに近接する方向（下方）に引っ張られてしまうので、耕耘ロータリから放擲される耕耘土壌の飛散によって培土器の縁部の変形が起こり易く、所望の畝形状を形成することができないといった欠点を有していた。
【課題を解決するための手段】
【０００５】
上記課題を解決することを目的とした本発明は、耕耘軸に複数の耕耘爪を取付けた耕耘ロータリと、該耕耘ロータリの上方を覆うロータリカバーと、該ロータリカバーの後端に上下揺動自在に支持したリヤカバーを備え、前記耕耘軸とリヤカバーとの隙間に、ロータリカバーを貫通する上下調節自在な接地抵抗棒と耕深調節棒とを前後に配設してなる耕耘装置において、前記ロータリカバーの幅方向の中央部後端から耕深調節棒の下部に臨ませて弾性部材からなる簡易培土器を取付けたことを第１の特徴としている。
そして、前記ロータリカバーの幅方向の中央部後端に簡易培土器の上部を取付ける一方、前記耕深調節棒の下部に備える橇状の安定板の後端に簡易培土器の下部を取付け可能に構成したことを第２の特徴としている。
【発明の効果】
【０００６】
請求項１の発明によれば、耕耘ロータリの耕耘軸とリヤカバーとの隙間に、ロータリカバーを貫通する上下調節自在な接地抵抗棒と耕深調節棒とを前後に配設してなる耕耘装置において、前記ロータリカバーの幅方向の中央部後端から耕深調節棒の下部に臨ませて弾性部材からなる簡易培土器を取付けたことによって、例えば耕深調節棒を下げて高畝を形成しようとする際、弾性部材からなる簡易培土器が側面視で耕耘ロータリに近接する方向（下方）に引っ張られても、従来のように接地抵抗棒に簡易培土器を装着するものと比べて当該簡易培土器は耕耘ロータリから離間しているので、耕耘ロータリから放擲される耕耘土壌の飛散によって簡易培土器の縁部の変形が起こり難くなり、所望の畝形状を形成することができるようになる。
請求項２の発明によれば、前記ロータリカバーの幅方向の中央部後端に簡易培土器の上部を取付ける一方、前記耕深調節棒の下部に備える橇状の安定板の後端に簡易培土器の下部を取付け可能に構成したことによって、既存部品である前記安定板を利用して接地抵抗棒よりも後側（外側）にある耕深調節棒に簡易培土器の下部を装着できるようになり、当該簡易培土器を着脱する際の作業性が向上する。
【図面の簡単な説明】
【０００７】
【図１】歩行型管理機の全体側面図。
【図２】一部を省略したロータリ耕耘装置の側面図。
【図３】簡易培土器を装着した状態を示す斜視図。
【発明を実施するための形態】
【０００８】
以下、本発明の実施の形態を図面に基づいて詳細に説明する。
【実施例１】
【０００９】
図１及び図２は、本発明の耕耘装置を備えた小型移動農機である歩行型管理機の全体側面図と、一部を省略したロータリ耕耘装置の側面図であって、歩行型管理機１は、機体フレームを構成する側面視で略へ字状のミッションケース２を中央に配設してあり、このミッションケース２の前側下部に車軸３を軸架して走行車輪４を取付ける一方、ミッションケース２の後側下部にロータリ耕耘装置５の耕耘軸６を横架すると共に、該耕耘軸６の周囲に複数本の耕耘爪７を放射状に植設した耕耘ロータリ８を備えている。
【００１０】
そして、ミッションケース２の前方に取付けたエンジンフレーム９上にエンジン１１を搭載してあり、このエンジン９の左側に設けられているベルトカバー１２内の図示しないプーリ、及びベルト等を介してエンジン１１の動力をミッションケース２内に伝達し、該ミッションケース２内に備える変速機構を介して変速した動力を走行車輪４及びロータリ耕耘装置５に伝達するように構成している。
【００１１】
また、ミッションケース２の上部には、後方に向けてハンドル１３が延出してあり、このハンドル１３をオペレータが把持した状態で、歩行型管理機１を走行させながらロータリ耕耘装置５を回転駆動させることによって、所望の耕耘作業を行なうことができるようになっている。尚、ハンドル１３には、操作具としてメインクラッチレバー１４が設けてあり、このメインクラッチレバー１４を操作することによって、エンジン１１とミッションケース２との間に介設した図示しないテンションクラッチ機構によるエンジン１１とミッションケース２間の動力の断接がなされる。
【００１２】
そして、上述した耕耘ロータリ８を構成する複数本の耕耘爪７の周囲には、この複数本の耕耘爪７の回転による泥土等の飛散を防止すべく、当該耕耘爪７の回転軌跡７ａの前側を含む上側、及び両側を覆う側面視で略半円弧状のロータリカバー１５を設けると共に、該ロータリカバー１５の後端に上下揺動自在に支持したリヤカバー１６を備えている。
【００１３】
また、ロータリ耕耘装置５の耕耘軸６とリヤカバー１６との前後隙間Ｓには、ロータリカバー１５を貫通する上下調節自在な接地抵抗棒１７と耕深調節棒１８とを前後に配設してあり、接地抵抗棒１７は、耕耘反力防止用にその下部に抵抗板１７ａを固設している。そして、接地抵抗棒１７の後方に配設した耕深調節棒１８は、耕深を安定させるためにその下部に橇状の安定板１８ａを固設している。
【００１４】
また、ミッションケース２の上端部からは、機体の走行方向と走行速度を変更（変速）すると共に、耕耘ロータリ８の回転の入／切と回転方向を変更することができる主変速レバー２１を側面視でハンドル１３と略平行に後方に向かって延出している。そして、上述したロータリカバー１５の上面中央には、ブラケット２２が立設してあり、このブラケット２２に、主変速レバー２１の前後傾動操作に連係する切換ロッド２３を第１アーム２４を介して枢設すると共に、ロータリカバー１５を貫通してミッションケース２の後面に臨む接地抵抗棒１７の上端を第２アーム２５を介して枢設している。
【００１５】
更に詳しく説明すると、第１アーム２４と第２アーム２５とを切換ロッド２３の揺動動作に連係させる状態、即ち主変速レバー２１の切換操作に連繋して接地抵抗棒１７の上下固定位置を変更する連動状態と、切換ロッド２３の揺動動作に関わらず接地抵抗棒１７を所定の上下固定位置に変更する非連動状態に接離可能に構成することによって、当該接地抵抗棒１７の下方への出没作動を制御できるようにしてある。
【００１６】
また、上述の如くロータリカバー１５の上面中央に設けられているブラケット２２の後方には、耕深調節棒１８に形成した複数の係合溝１８ｂへのロックピン２６の係脱により当該耕深調節棒１８の上下調節を可能にする固定用ブラケット２７を設けている。尚、この固定用ブラケット２７の上部には、移動用の尾輪体２８を装着するためのステー２７ａを固設している（図１参照）。
【００１７】
また、図２及び図３に示すように、ロータリカバー１５の幅方向の中央部後端から耕深調節棒１８の下部に臨ませて弾性部材（ゴム板）からなる簡易培土器３１を簡単に取付けることができるように構成している。更に詳しく説明すると、簡易培土器３１の上部をロータリカバー１５の中央部後端の内面側に螺設するために当て板３２を設けてあり、この当て板３２に固設したＰボタン３３に対応するピッチの図示しない取付孔を簡易培土器３１の上部とロータリカバー１５の幅方向の中央部後端に設けると共に、前記当て板３２のＰボタン３３に簡易培土器３１の取付孔を嵌設した状態で、ロータリカバー１５の中央部後端の内面側に簡易培土器３１を宛がった後、ロータリカバー１５の中央部後端の外面側に突出するＰボタン３３をナット３４を用いて螺設できるように構成している。
【００１８】
一方、簡易培土器３１の下部は、側面視で略Ｌ字状に曲げ形成したプレート３５を介して耕深調節棒１８の下部に備える橇状の安定板１８ａの後端に取付けることができるように構成している。更に詳しく説明すると、前記プレート３５の各曲げ片３５ａ，３５ｂには、左右一対のＰボタン３６を固設してあり、この一対のＰボタン３６を利用して一方の曲げ片３５ａを橇状の安定板１８ａの後端にナット３７を用いて装着し、同様に上方に立ち上がる他方の曲げ片３５ｂに備える一対のＰボタン３６に、簡易培土器３１の下部をナット３７を用いて装着できるように構成している。
【００１９】
以上説明したように、耕耘ロータリ８の耕耘軸６とリヤカバー１６との隙間Ｓに、ロータリカバー１５を貫通する上下調節自在な接地抵抗棒１７と耕深調節棒１８とを前後に配設してなるロータリ耕耘装置５において、前記ロータリカバー１５の幅方向の中央部後端から耕深調節棒１８の下部に臨ませて弾性部材からなる簡易培土器３１を取付けたことによって、例えば耕深調節棒１８を下げて「さつまいも」や「さといも」等の根菜類に適用する高畝を形成しようとする際、弾性部材からなる簡易培土器３１が側面視で耕耘ロータリ８に近接する方向（下方）に引っ張られても、従来のように接地抵抗棒１７に簡易培土器３１を装着するものと比べて当該簡易培土器３１は耕耘ロータリ８から離間しているので、耕耘ロータリ８から放擲される耕耘土壌の飛散によって簡易培土器３１の縁部の変形が起こり難くなり、所望の畝形状を形成することができるようになる。
【００２０】
そして、前記ロータリカバー１５の幅方向の中央部後端に簡易培土器３１の上部を取付ける一方、前記耕深調節棒１８の下部に備える橇状の安定板１８ａの後端に簡易培土器３１の下部を取付け可能に構成したことによって、既存部品である前記安定板１８ａを利用して接地抵抗棒１７よりも後側（外側）にある耕深調節棒１８に簡易培土器３１の下部を装着できるようになり、当該簡易培土器３１を着脱する際の作業性が向上する。
【符号の説明】
【００２１】
６      耕耘軸
７      耕耘爪
８      耕耘ロータリ
１５    ロータリカバー
１６    リヤカバー
１７    接地抵抗棒
１８    耕深調節棒
１８ａ  安定板
３１    簡易培土器
Ｓ      隙間
【図１】
2010200704.tif 000003
【図２】
2010200704.tif 000004
【図３】
2010200704.tif 000005